Podtech/llm-jp-corpus-v4-ja_patent huggingface dataset:
(57)【要約】      （修正有）【課題】使用することで、水平に吊る事が出来、水糸に干渉される事なく据え付けられ、作業効率の向上を図る事が出来るＵ字溝用バイスを提供する。【解決手段】角パイプをＵ字溝厚さより大きくコの字型に加工した本体１に狭着金具２を取りつけられる様にくり抜きボルト固定アングルを溶接固定アングルに狭着金具２をボルトで取りつけＵ字溝を狭着する。狭着金具はＵ字溝を吊り上げた時水平となる位置にフック穴を設け、上部に持ち運び用の取手５を設ける。【選択図】図５
0003182155.tif 000002
【実用新案登録請求の範囲】
【請求項１】
コの字型に加工した角パイプの片側に開口を設け開口側から狭着できて機械で吊れる構造を有するＵ字溝吊り
【考案の詳細な説明】
【技術分野】
【０００１】本考案はＵ字溝据付時使用するものであり機械工学に関するものである。
【背景技術】
【０００２】従来  Ｕ字溝据付時は手で持ち上げ据付ていた。
【先行技術文献】
【０００３】
【特許文献】
【特許文献】無し
【考案の概要】
【考案が解決しようとする課題】
【０００４】従来モルタルを敷き均し  その上にＵ字溝を両手で持ち上げ据え付けて基準高  勾配  水平を確認していたが  基準高  勾配  水平が確認できない時はＵ字溝を両手で撤去し  再度モルタルを敷き均し据え付けていたので作業効率が悪い欠点があった。
【課題を解決するための手段】
【０００５】本考案Ｕ字溝用バイスで  Ｕ字溝の片側を挟み機械で吊上げ据えつける位置に移動さす事でＵ字溝を据えつける事ができる。
【考案の効果】
【０００６】従来Ｕ字溝を手で据付ていたが当考案Ｕ字溝用バイスを使用することで重量のあるＵ字溝でも片側のみ挟み水平に吊り上げられるので  水糸に接触せず基準高勾配  水平を確認しやすく作業効率の向上が図れる。
【図面の簡単な説明】
【０００７】
【図１】本考案によるＵ字溝用バイスの側面図
【図２】本考案によるＵ字溝用バイスの正面図
【図３】本考案によるＵ字溝用バイスの平面図
【図４】本考案によるＵ字溝用バイスの詳細図
【図５】本考案によるＵ字溝用バイスの使用形態
【考案を実施するための形態】
【０００８】図１は本考案Ｕ字溝用バイスの形態を示す側面図  図２は正面図  図３は平面図  図４は詳細図  図５は使用形態を示す
【０００９】図４の詳細図のように  角パイプをＵ字溝厚さより大きくコの字型に加工した本体に狭着金具を取つけられる用くり抜きボルト固定アングルを溶接固定アングルに狭着金具をボルトで取りつけＵ字溝を狭着する
狭着金具はＵ字溝を吊り上げた時水平となる位置にフック穴を設け  上部に持ち運び用の取手を設けた
【実施例】
【００１０】従来Ｕ字溝は手で据え付けていたが  Ｕ字溝バイス使用で  水平に吊る事が出来  水糸に干渉される事なく据え付けられるので作業効率の向上を図る事が出来る
【産業上の利用可能性】
【符号の説明】１，本体          ２，狭着金具  ３，固定アングル
４，ボルトナット  ５，取手      ６，ねじ込シャックル
７，水糸
【図１】
0003182155.tif 000003
【図２】
0003182155.tif 000004
【図３】
0003182155.tif 000005
【図４】
0003182155.tif 000006
【図５】
0003182155.tif 000007
【手続補正書】
【提出日】平成24年8月27日(2012.8.27)
【手続補正１】
【補正対象書類名】実用新案登録請求の範囲
【補正対象項目名】全文
【補正方法】変更
【補正の内容】
【実用新案登録請求の範囲】
【請求項１】
角パイプを長手方向に半分に切断し長短各１片とＵ字溝厚さより３ｃｍ程度長く切落した３片を使い短い方を内側に長い方を外側にし  平滑面が相対するようにして上部にＵ字溝厚さより長く切落した部材をコの字形に溶接  外側を丸みをおびるように削り  内側にあたる角パイプに狭着金具が  取り付くよう固定アングルを溶接  狭着金具をボルトで取付  狭着金具が外側にある角パイプとＵ字溝を狭着できるよう内側にあたる角パイプに  開口部を設けたＵ字溝バイス
【手続補正書】
【提出日】平成24年12月10日(2012.12.10)
【手続補正１】
【補正対象書類名】実用新案登録請求の範囲
【補正対象項目名】全文
【補正方法】変更
【補正の内容】
【実用新案登録請求の範囲】
【請求項１】
鉄板をコの字に曲げ  長，中，短の長さに切断し  外側に開口部がくるように  上部に短い鉄板を  両側に長い鉄板と中の鉄板を溶接し  短い鉄板にＵ字溝を挟みこめるよう  狭着金具を取りつけたＵ字溝用バイス
(57)【要約】      （修正有）【課題】洗濯ハンガー収納の際、洗濯バサミのアーム部分の出っ張りが洗濯ハンガーの他の部位、或は、他の洗濯ハンガー等に絡み付く不具合をなくした洗濯物ハンガーを提供する。【解決手段】複数の洗濯バサミを備えた洗濯ハンガーであって、外側に湾曲した二本のアームの支点部分にスプリングを配置し、アームの先端部分を交差させ、アーム中央のふくらみ部分を圧迫する事により先端が開くようにした洗濯バサミを使用して洗濯ハンガーを形成する。【選択図】図１
0003182157.tif 000002
【実用新案登録請求の範囲】
【請求項１】
外側に湾曲した二本のアームの支点部分にスプリングを配置し、アームの先端部分を交差させ、アーム中央のふくらみ部分を圧迫する事により、先端が開く洗濯バサミを使用した洗濯ハンガー。
【考案の詳細な説明】
【技術分野】
【０００１】この考案は洗濯ハンガーに関する
【背景技術】
【０００２】従来の洗濯ハンガーは図４で示す様な洗濯バサミを使用する
【考案の概要】
【０００３】外側に湾曲した二本のアームの支点部分にスプリングを配置し、アームの先端部分を交差させ、アーム中央のふくらみ部分を圧迫する事により、先端が開く洗濯バサミを使用した洗濯ハンガー。
【考案が解決しようとする課題】
【０００４】従来の洗濯ハンガーは、洗濯ハンガー収納の際、図４で示すような洗濯バサミのアームの出っ張り部分が、洗濯ハンガーの他の部位、或は、他の洗濯ハンガー等に絡み付く為、使用時に不便であった。
【課題を解決するための手段】
【０００５】図２、図３で示すようなアーム交差式の洗濯バサミを使用し、洗濯バサミのアームの出っ張りをなくす事によりこの問題を解決する。
【図面の簡単な説明】
【０００６】
【図１】考案の全体図
【図２】アーム交差式洗濯バサミの例１
【図３】アーム交差式洗濯バサミの例２
【図４】従来の洗濯ハンガーの部分図
【図１】
0003182157.tif 000003
【図２】
0003182157.tif 000004
【図３】
0003182157.tif 000005
【図４】
0003182157.tif 000006
【手続補正書】
【提出日】平成24年11月8日(2012.11.8)
【手続補正１】
【補正対象書類名】実用新案登録請求の範囲
【補正対象項目名】全文
【補正方法】変更
【補正の内容】
【実用新案登録請求の範囲】
【請求項１】
複数の洗濯バサミを備えた洗濯ハンガーであって、洗濯バサミは、外側に湾曲した二本のアームの支点部分にスプリングを配置し、アームの先端部分を交差させ、アーム中央のふくらみ部分を圧迫する事により先端が開くことを特長とする洗濯ハンガー。
(57)【要約】      （修正有）【課題】収納されている布団台を上げるとき軽い力で持ち上げる事を可とした布団干し具の軽量化構造を提供する。【解決手段】ベランダの壁９に固定した二つのスライド台２間の中央にガイド穴を設けたガイド台１０を固定する。綱１２の一端を布団台１の手前に付け他端をガイド穴へ通す。先端に重し１３を付けて布団台１を持ち上げるとき軽くして軽量化構成とする。【選択図】図１
0003182160.tif 000002
【実用新案登録請求の範囲】
【請求項１】
同出願人の特願２０１２−１８８０４４に於いて、ベランダの壁（９）に固定した二つのスライド台（２）間の中央にガイド部を設けたガイド台（１０）を固定し、綱（１２）の一端を布団台（１）に付け他端をガイドへ通し重し（１３）を付けて吊り下げ、布団台（１）を持ち上げるとき軽くした軽量化構成。
【考案の詳細な説明】
【技術分野】
【０１】本案は重しを利用した軽量化である。
【背景技術】
【０００２】本考案は同出願人による特願２０１２−１８８０４４に使用する目的であって、従来、前記の発明の製品は無く、よって本考案の目的の軽量化の構成はなかった。
【先行技術文献】
【特許文献】
【０００３】
【特許文献１】
【考案の概要】
【考案が解決しようとする課題】
【０００４】特願２０１２−１８８０４４に於いて、収納部にある布団台（１）を上げるとき軽い力で持ち上がるようにする。
【課題を解決するための手段】
【０００５】綱（１２）の一端を布団台（１）に付け、他端をベランダの壁（９）に固定したガイド台（１０）のガイド穴（１１）に通して重し（１３）を付け吊り下げる。
【考案の効果】
【０００６】収納部にある布団台を軽く持ち上げられるようになる。
【図面の簡単な説明】
【０００７】
【図１】本考案の使用例の斜視図である。
【図２】本考案の斜視図である。
【図３】布団干し時の本考案の綱と重しの位置関係を示す側面図である。
【図４】布団台が収納されているときの本考案の綱と重しの位置関係を示す側面図である。
【考案を実施するための形態】
【０００８】  本考案は同出願人の特願２０１２−１８８０４４に於いて、収納部にある布団台（１）を上げるとき軽い力で持ち上がるようにした構成である。ベランダの壁（９）に固定した二つのスライド台（２）間の中央の上位置にガイド穴（１１）を有したガイド台（１０）を固定する。綱（１２）の一端を布団台（１）の手前中央に付け、他端をガイド穴（１１）に通して重し（１３）を吊り下げる。
布団干し時、布団台（１）はスライド台（２）の上にあって綱（１２）と重し（１３）の位置関係は図３の通りである。布団台（１）を収納した時の綱（１２）と重し（１３）の位置関係は図４の通りで重し（１３）は上にあがる。布団台（１）を持ち上げるときは重し（１３）が効きながら下がりその分だけ軽くなる。
本考案はこれに限らずガイド穴（１１）の代わりにコロにしてもよい。
【符号の説明】
【０００９】１布団台
２スライド台
９壁
１０ガイド台
１１ガイド穴
１２綱
１３重し
【図１】
0003182160.tif 000003
【図２】
0003182160.tif 000004
【図３】
0003182160.tif 000005
【図４】
0003182160.tif 000006
【手続補正書】
【提出日】平成24年12月6日(2012.12.6)
【手続補正１】
【補正対象書類名】実用新案登録請求の範囲
【補正対象項目名】全文
【補正方法】変更
【補正の内容】
【実用新案登録請求の範囲】
【請求項１】
ベランダの壁（９）に固定した二つのスライド台（２）間の中央にガイド部を設けたガイド台（１０）を固定し、綱（１２）の一端を布団台（１）に付け他端をガイドへ通し重し（１３）を付けて吊り下げ、布団台（１）を持ち上げるとき軽くした布団干し具の軽量化構造。
(57)【要約】      （修正有）【課題】旗が振れるようにすることで、応援がより楽しく、効果的に行えるようにするスティックバルーンを提供する。【解決手段】気体を充填することで棒状に膨らむスティックバルーン本体２と、取り付け時に筒状となる取り付け部８を一体に備える旗片３とからなり、膨らみ状態のスティックバルーン本体２の外周面に、取り付け部８の内周面が密接することで旗片３がスティックバルーン本体２に取り付けられて構成する。【選択図】図１
0003182174.tif 000002
【実用新案登録請求の範囲】
【請求項１】
気体を充填することで棒状に膨らむスティックバルーン本体と、取り付け時に筒状となる取り付け部を一体に備える旗片とからなり、
前記膨らみ状態のスティックバルーン本体の外周面に、前記取り付け部の内周面が密接することで前記旗片が前記スティックバルーン本体に取り付けられて構成されることを特徴とするスティックバルーン。
【請求項２】
前記旗片が表示模様を持つ請求項１記載のスティックバルーン。
【請求項３】
前記旗片における前記表示模様が取り換え可能である請求項１または２記載のスティックバルーン。
【考案の詳細な説明】
【技術分野】
【０００１】  この考案は、応援用具等として用いられるスティックバルーンに関する。
【背景技術】
【０００２】  各種運動競技の応援等に際し、空気が充填されることで棒状に膨らむスティックバルーンが広く用いられている。このスティックバルーンは応援用の模様が付され、それを振りかざし、また、スティックバルーンどうしを当てて音を発することで楽しく応援できるようになっている。
【考案の概念】
【考案が解決しようとする課題】
【０００３】  この考案では、スティックバルーンにより旗が振れるようにし、スティックバルーンによる応援がより楽しく、効果的に行えるようにすることを目的とする。
【課題を解決するための手段】
【０００４】  この考案では、気体を充填することで棒状に膨らむスティックバルーン本体と、取り付け時に筒状となる取り付け部を一体に備える旗片とからなり、前記膨らみ状態のスティックバルーン本体の外周面に、前記取り付け部の内周面が密接することで前記旗片が前記スティックバルーン本体に取り付けられて構成されるスティックバルーンを提供する。
【０００５】  上記スティックバルーンはスティックバルーン本体に旗片が取り付けられていることで、旗振り応援に使用できる。膨らみ状態のスティックバルーン本体の外周面に取り付け部の内周面が密接することで旗片が取り付けられる構成とされているので、スティックバルーン本体の先端側を旗片の取り付け部内に挿し入れスティックバルーン本体を膨らますことにより旗片が容易にスティックバルーン本体に取り付けられる。
【０００６】  旗片がスティックバルーン本体と別体であることで、スティックバルーン本体は旗片を取り付けることなく従来のスティックバルーンと同様に使用することもでき、くわえて、スティックバルーン本体と旗片とを適宜選択して組み合わせ使用することができる。
【０００７】  旗片は表示模様を持つことでデザイン性が向上し、旗片においてその表示模様が取り換え可能である構成とされることで、表示模様が異なる旗片が適宜選択使用できる。
【考案の効果】
【０００８】  この考案によれば、スティックバルーンにより旗が振れるようになって、スティックバルーンによる応援等がより楽しく、効果的に行えるようになる。旗片のスティックバルーン本体への取り付けがスティックバルーン本体を膨らますことのみにより容易になされる。とくに、スティックバルーン本体と旗片とが別体であることで、スティックバルーン本体に旗片を取り付けることなく従来のスティックバルーンと同様に使用することができ、また、スティックバルーン本体と旗片とを適宜選択して組み合わせ使用することもできる。
【図面の簡単な説明】
【０００９】
【図１】  この考案のスティックバルーンの実施形態の外観斜視図
【図２】  この考案のスティックバルーンの実施形態の分解状態の外観斜視図
【図３】  この考案のスティックバルーンの実施形態の旗片取り付け部の断面図
【図４】  この考案のスティックバルーンの旗片の他の実施形態図
【考案を実施するための形態】
【００１０】  図１はこの考案のスティックバルーンの斜視図、図２は同分解状態の斜視図である。
スティックバルーン１はスティックバルーン本体２とそれに取り付けられる旗片３とから構成される。スティックバルーン本体２はプラスチックシートよりなる長尺袋体４の一端の逆止弁構造を持つ空気充填口６から空気が内部に充填されることで棒状に膨らみ、表面には表示模様７が印刷により付されている。旗片３は全体が透明のプラスチックシートよりなり、一端側に取り付け時に筒状となる取り付け部８を備え旗部５の表面には印刷により日の丸の表示模様９が印刷により付され、全体が国旗形態を呈している。
【００１１】  スティックバルーン本体２への旗片３の取り付けは、図２に示すように、スティックバルーン本体２、旗片３がともに扁平な状態において、スティックバルーン本体２の先端側を旗片３の取り付け部８内に挿し入れ、空気充填口６からストロー等を使用してスティックバルーン本体２内に空気を充填することで行う。空気が十分に充填されてスティックバルーン本体２が棒状に膨らむことで、図３に示すように、スティックバルーン本体２の外周面１１と筒状となった取り付け部８の内周面１２とが互いに弾力的に密着し、これにより旗片３はスティックバルーン本体２に安定して固定される。
【００１２】  上記のスティックバルーン本体２に旗片３が取り付けられた状態において、スティックバルーン本体２を持って振ることで旗振り応援が可能となり、２本のスティックバルーン１を打ち合わせ音を発して使用することもできる。また、スティックバルーン本体２は旗片３を取り付けることなく、従来のスティックバルーンと同様に使用することもできる。
【００１３】  図４は旗片３の他の実施形態を示す。この実施形態においては旗片３の旗部５は二重構成で上方が開く袋形態とされ、その旗部５に適宜の表示模様９の付された表示シート１０が納められるようになっている。このような構成により応援対象、応援方法等に対応して表示シート１０を適宜選択して使用できるようになっている。例えば、競技中には「頑張れ！」の表示模様９が付された表示シート１０を使用し、競技終了時には「ご苦労さま！」の表示模様９が付された表示シート１０に代えることができる。
【００１４】  また、旗片２はその旗部５が、上記の図４に示すものと同様の外形構成においてその袋形態を構成する裏面側部が不透明のシートによりなる構成とされ、かつ、表示シート１０（図示省略）としてはその一方側面に「頑張れ！」の表示模様９が他方側面に「ご苦労さま！」の表示模様９が付されたものを使用する。この構成によれば裏返して使用することで１枚の表示シート１０で両方の表示が行えて便利である。
【符号の説明】
【００１５】１    スティックバルーン
２    スティックバルーン本体
３    旗片
８    取り付け部
１１  外周面
１２  内周面
【図１】
0003182174.tif 000003
【図２】
0003182174.tif 000004
【図３】
0003182174.tif 000005
【図４】
0003182174.tif 000006
(57)【要約】      （修正有）【課題】牛肉等の調理食材を短時間で加熱し、食材が本来有している甘みや栄養成分を保持して加熱調理できる加熱調理陶板を提供する。【解決手段】加熱調理陶板本体１の下面１ｂに穿設された複数の火炎留まり部１ｃ（穴）を穿つ。食材を加熱調理する際には、内部の燃料容器５にアルコール燃料６を装着したコンロ４に、加熱調理陶板本体１を載せて、燃料６に点火すると、火炎３が加熱調理陶板本体１の下面１ｂの火炎留まり部１ｃに留まるので加熱表面積が多くなり、牛肉等の食材を短時間で加熱し、食材が本来有している甘みや栄養成分を保持して加熱調理できるようになる。【選択図】図３
0003182176.tif 000002
【実用新案登録請求の範囲】
【請求項１】
上面に食材を載せて、下面側から火炎で加熱する加熱調理陶板の下面に、穴や溝を刻設、若しくは、釣鐘状の凸を突設したことを特徴とする加熱調理陶板。
【考案の詳細な説明】
【技術分野】
【０００１】  本考案は、上面に食材を載せて、下面側から火炎で加熱する加熱調理陶板に関するものである。
【背景技術】
【０００２】  宴席の御膳毎に用いる加熱調理陶板は、上面に牛肉などの調理用食材を載せ、下面側から一定量の、例えば、数十グラムの固形アルコール燃料や蝋燭などを用いて、食材を加熱している。一般的に、牛肉等の食材は、短時間で加熱する程、食材の甘みが出て、柔らかくなるが、従来市販の調理陶板は、加熱する下面がフラットな平面につき、外部に放熱し、火炎の無駄が生じる。加熱調理陶板下面側の火炎接触面積は、加熱調理陶板下面の平面面積に限定される。下面がフラットの為、外部に放熱し、火炎の無駄が生じる。
【先行技術文献】
【特許文献】
【０００３】
【特許文献１】特開２００４−５７４９１号公報
【考案の概要】
【考案が解決しようとする課題】
【０００３】  本考案は、上記のような課題に鑑み、その課題を解決すべく考案したもので、その目的とするところは、牛肉等の調理食材を短時間で加熱し、食材が本来有している甘みや栄養成分を保持して加熱調理できる加熱調理陶板を提供することにある。
【課題を解決するための手段】
【０００４】      以上の目的を達成するために、陶板の上面に調理食材を載せて、下面側から火炎で加熱する加熱調理陶板の下面に、穴や溝を刻設、若しくは、釣鐘状の凸を突設し、牛肉等の食材を短時間で加熱し、食材が本来有している甘みや栄養成分を保持して加熱調理できるようにした。すなはち、加熱調理陶板の下面に凹面を作り火炎熱溜りを造り、加熱調理陶板の伝熱表面積を大きくすることで、火炎が無駄なく行き渡り、加熱が早く効果的で、また、燃料の量を調節することで、加熱時間の調節も容易にできるようになった。【０００５】
【考案の効果】
【０００６】上記構成により、本考案に係る加熱調理陶板は、牛肉等の食材を短時間で加熱し、食材が本来有している甘みや栄養成分を保持して加熱調理できるようになった。
【図面の簡単な説明】
【図１】本考案に係る一実施例を示す加熱調理陶板の斜視図である。
【図２】図１に図示の加熱調理陶板の下面図である。
【図３】図１に図示の加熱調理陶板の調理状況を示す説明図である。
【考案を実施するための形態】
【０００７】以下、図面に記載の実施形態に基づいて、本考案をより具体的に説明する。
【０００８】図１は、本考案に係る加熱調理陶板本体１の上面１ａに牛肉等の食材２を載せた状況を示し、図２は、加熱調理陶板本体１の下面１ｂに穿設された複数の火炎留まり部１ｃ（穴）を図示している。
【０００９】図３に図示するように、食材２を加熱調理する際には、内部の燃料容器５にアルコール燃料６を装着したコンロ４に、図１に図示する加熱調理陶板本体１を載せて、燃料６に点火すると、火炎３が加熱調理陶板本体１の下面１ｂの火炎留まり部１ｃに留まるので加熱表面積が多くなり、牛肉等の食材２を短時間で加熱し、食材２が本来有している甘みや栄養成分を保持して加熱調理できるようになった。
【００１０】なお、本実施例では、加熱調理陶板本体１の下面１ｂの火炎留まり部１ｃが、穴であったが、溝を刻設したり、釣鐘状に凸部を突設し、加熱表面積を増やしても良いことは、言うまでもない。
【００１１】
【産業上の利用可能性】
【００１２】本考案に係る加熱調理陶板は、食材の調理が短時間できるので、団体客等の宴席のお客にも、早く料理の提供ができので、効率的経営に役立ち、利益にも繋がることが期待出来る。
【符号の説明】    １        加熱調理陶板本体
１ａ      加熱調理陶板の上面
１ｂ      加熱調理陶板の下面
１ｃ      加熱調理陶板下面の火炎留まり部（溝、穴）
２        食材（牛肉など）
３        火炎
４        コンロ（陶板受け台）
５        燃料容器
６        燃料（蝋燭、アルコール）
【図１】
0003182176.tif 000003
【図２】
0003182176.tif 000004
【図３】
0003182176.tif 000005
(57)【要約】      （修正有）【課題】引き戸を幼児が勝手に開けるのを防止するため、引き戸に面ファスナーからなる脱着可能なストッパーを取り付け、引き戸の開け閉めを制限することが出来る引き戸ストッパーを提供する。【解決手段】引き戸を閉めた状態にし、面ファスナーからなる脱着可能なストッパーを奥側の引き戸に取り付け、開けるときにはストッパーを取り外し閉めた時には簡単に開かないようにストッパーを面ファスナーで固定する。【選択図】図１
0003182270.tif 000002
【実用新案登録請求の範囲】
【請求項１】
引き戸とストッパーにマジックテープを設置し簡単に脱着でくるようにした幼児事故防止装置。
【考案の詳細な説明】
【技術分野】  本考案は、幼児の事故防止に関するものである。
【考案の概要】
【考案が解決しようとする課題】  解決しようとする問題点は、引き戸を幼児が勝手に開けるのを防止できない点である。
【課題を解決するための手段】  本考案は、マジックテープなどを利用した簡単なストッパーを特徴とする。
【考案の効果】  本考案の引き戸ロックは、マジックテープ等で簡単に脱着でくるという利点がある。
【図面の簡単な説明】
【図１】図１は２枚引き戸の実施方法を示した説明図である。（実施例１）
【図２】図２は３枚引き戸の実施方法を示した説明図である。
【考案を実施するための形態】
幼児の手の届かないところにストッパーを設け幼児の事故防止を実現した。
【実施例１】  図１は、本考案ストッパーの実施例であって、引き戸にストッパーを取り付けた状態である。
【図１】
0003182270.tif 000003
【図２】
0003182270.tif 000004
【図３】
0003182270.tif 000005
【手続補正書】
【提出日】平成24年12月25日(2012.12.25)
【手続補正１】
【補正対象書類名】実用新案登録請求の範囲
【補正対象項目名】全文
【補正方法】変更
【補正の内容】
【実用新案登録請求の範囲】
【請求項１】
引き戸に面ファスナーからなる脱着可能なストッパーを取り付けたことを特徴とする引き戸ストッパー
【手続補正２】
【補正対象書類名】明細書
【補正対象項目名】全文
【補正方法】変更
【補正の内容】
【考案の詳細な説明】
【技術分野】  引き戸に面ファスナーからなる脱着可能なストッパーを取り付け、簡単な引き戸の開け閉めを制限することを特徴とする引き戸ストッパー。
【図面の簡単な説明】
【図１】図１は２枚引き戸の実施方法を示した説明図である。（実施例１）ａ：ストッパーと引き戸にｂ：面ファスナーを取り付け扉が開かないようにしている２枚引き戸の図である。
【図２】図２は３枚引き戸の実施方法を示した説明図である。ａ：ストッパーと引き戸にｂ：面ファスナーを取り付け扉が開かないようにしている３枚引き戸の図である
【図３】図３は引き戸からａ：ストッパーを取り外した図である。引き戸が開ける事が可能になった状態の図である
【考案を実施するための形態】
引き戸を閉めた状態にし、面ファスナーからなる脱着可能なストッパーを奥側の引き戸に取り付け、開けるときにはストッパーを取り外し閉めた時には簡単に開かないようにストッパーを面ファスナーで固定する。
引き戸の開けるのを抑制する。
【手続補正３】
【補正対象書類名】図面
【補正対象項目名】全図
【補正方法】変更
【補正の内容】
【図１】
0003182270.tif 000006
【図２】
0003182270.tif 000007
【図３】
0003182270.tif 000008
(57)【要約】      （修正有）【課題】遊技機と隣接遊技機の間の分煙用の仕切り板の消臭、汚れの防止、抗菌が低コストで可能となる分煙用仕切り板を提供する。【解決手段】分煙用仕切り板１の消臭は、光触媒Ａを仕切り板表面に付着させて行なう。光触媒としては低照度や暗所でも触媒効果を発揮する金属微粒子を担持させた酸化チタンや特殊表面修飾酸化チタン等の可視光応答型光触媒が好ましい。なぜならば店舗内部や遊技機に使用されているＬＥＤ照明や仕切り板を使用しない時光源の無い収納部に入る可動式では可視光応答型の光触媒を使用しないと十分な効果が期待出来ない。上記の構造により、汚物の分解もぬれた雑巾等で軽く拭くだけで光触媒の特徴である超親水の効果により洗剤等を使用せずにも簡単に清掃する事が出来る。【選択図】図１
0003182278.tif 000002
【実用新案登録請求の範囲】
【請求項１】
光触媒を使用して消臭を行なうことを特徴とする分煙用仕切り板
【請求項２】
光触媒を使用して仕切り板表面に付着したニコチン・タール等を分解させることを特徴とする分煙用仕切り板
【請求項３】
光触媒を使用して抗菌を行なうことを特徴とする分煙用仕切り板
【請求項４】
分煙用の仕切り板表面に光触媒を付着させたことを特徴とする分煙用仕切り板
【考案の詳細な説明】
【技術分野】
【０００１】本考案は、遊技場等の分煙用仕切り板に関する。
【背景技術】
【０００２】従来、遊技場の遊技機と隣接遊技機間或いは喫煙スペース等その他分煙に使用される仕切り板の喫煙によるタバコ臭、雑菌、ニコチンやタールによる汚れに対しては洗剤等を使用して清掃、除菌を行なっていた。
【先行技術文献】
【０００３】
【特許文献１】実登３１３６４３２号公報
【特許文献２】実登３１２３２４３号公報
【考案の概要】
【考案が解決しようとする課題】
【０００４】特許文献１，２にあるとように遮断面積の確保による隣接遊技者からの副流煙の流入や隣接遊技機の遊技者による干渉、タバコの悪臭、騒音の遮断を目的とした仕切り板は知られていたが、前遊技者の残臭、汚れ、抗菌等の対策は施されて無く分煙仕切り板表面の清掃にも非常に手間が掛かる構造であった。
【考案が解決しようとする課題】
【０００５】本考案は、隣接遊技者からの副流煙による悪臭だけでなく遊技者の前に同遊技機の遊技していた遊技者による喫煙臭やニコチン・タール等の仕切り板の汚れ、雑菌の除菌そして店舗側の仕切り板の清掃に関するものである。
【課題を解決しようとする手段】
【０００６】本考案に関わる請求項１の分煙用仕切り板の消臭方法では、光触媒を仕切り板表面に付着させて使用して消臭を行なうことを特徴としている。光触媒としては低照度や暗所でも触媒効果を発揮する金属微粒子を担持させた酸化チタンや特殊表面修飾酸化チタン等の可視光応答型光触媒が好ましい。なぜならば店舗内部や遊技機に使用されているＬＥＤ照明や仕切り板を使用しない時光源の無い収納部に入る可動式では可視光応答型の光触媒を使用しないと十分な効果が期待出来ない。
【考案の効果】
【０００７】本考案の分煙用仕切り板の消臭方法によれば、喫煙臭だけでなく、尿臭、糞臭等の成分であるアンモニア、硫化水素、トリチルアミン等の嫌な臭いの消臭にも効果を発揮する。
【０００８】請求項２の汚物の分解もぬれた雑巾等で軽く拭くだけで光触媒の特徴である超親水の効果により洗剤等を使用せずにも簡単に清掃する事が出来るので、ポリカーボネート等の傷や白濁し易い素材も傷めずに清掃する事が可能になる。
【０００９】従来、清掃が困難な天井部に近い高所部分も拭くだけで簡単に済むので清掃に掛かるコストの削減にも繋がる。
【００１０】請求項３にある抗菌効果によりＯ−１５７，大腸菌、ブドウ球菌、インフルエンザウイルス等も不活性化される。
【００１１】この効果は光触媒を使用しているので付着させた光触媒膜が剥離するか光を遮断されない限り半永久的に光触媒の分解による消臭、汚物の分解、菌やウイルスの分解を行い続ける。
【考案を実施する為の最良の形態】
【００１２】以下、本考案に係る分煙用仕切り板の消臭、汚れの防止、抗菌を、図面を参照しながら最良の一形態を説明する。
【実施例１】
【００１３】図１は、本考案に係る遊技機用のシマ４を構成する遊技機２と隣接遊技機３との間に設置される上部仕切り板固定金具５と下部仕切り板固定金具６によってシマ４に固定支持された仕切り板１に下地保護剤Ｂを付着の後乾燥させた面の上に光触媒Ａを付着乾燥させた遊技機２と隣接する遊技機３の台間に固定式仕切り板を設置した図を示している。
【実施例２】
【００１４】図２は、本考案に係る遊技機用のシマ４を構成する遊技機２と隣接遊技機３との台間に上部収納ケース固定金具８と下部収納ケース固定金具９によってシマ４内部に前面部に開口を設けた収納ケース７を設け下地保護剤Ｂを付着の後乾燥させた面の上に光触媒Ｂを付着乾燥させた仕切り板１を収納ケース７に固定された上部仕切り板用出し入れ金具１０と下部仕切り板用出し入れ金具１１によって可動、収納出来るようにした可動式仕切り板を設置した図を示している。
【図面の簡単な説明】
【００１５】
【図１】本考案の遊技機シマの固定式仕切り板設置後の断面図である。
【図２】本考案の遊技機シマの可動式仕切り板設置後の断面図である。
【符号の説明】１．仕切り板
２．遊技機
３．隣接する遊技機
４．シマ
５．上部仕切り板固定金具
６．下部仕切り板固定金具
７．収納ケース
８．上部収納ケース固定金具
９．下部収納ケース固定金具
１０．上部仕切り板用出し入れ金具
１１．下部仕切り板用出し入れ金具
１２．仕切り板用戸当り
Ａ．光触媒
Ｂ．下地保護剤
【図１】
0003182278.tif 000003
【図２】
0003182278.tif 000004
【手続補正書】
【提出日】平成24年12月18日(2012.12.18)
【手続補正１】
【補正対象書類名】実用新案登録請求の範囲
【補正対象項目名】全文
【補正方法】変更
【補正の内容】
【実用新案登録請求の範囲】
【請求項１】
分煙用の仕切り板表面に光触媒を付着させたことを特徴とする分煙用仕切り板。
(57)【要約】      （修正有）【課題】従来固定であったフレームを折りたたみ型とし使用するときは工具不要のワンタッチで組立て、使用しない時は折りたたみ、小スペースにすることを可能にしたゴミストッカーワイドを提供する。【解決手段】６面のワイヤーフレームがあり底面フレーム５の４箇所にキャスター７を取り付け、前記底面フレーム５の正面にフレーム１を、背面および上面にフレーム６等を左側面にフレーム２を右側面にフレーム３を各々のフレームの底面に取り付けたフックで接続し、各フレームを立ち上げ前記正面フレーム及び前記背面フレームの側面に取り付けられたワイヤーフックで固定する事により６面体の籠になり前記フレーム６は籠上部を開閉する蓋となる事を特徴とする【選択図】図１
0003182274.tif 000002
【実用新案登録請求の範囲】
【請求項１】
６面のワイヤー製のフレームを接続し、折りたたみ型とし、工具不要のワンタッチで籠になり、使用しない時は小スペースに折りたたみが可能なゴミストッカーワイド。
【考案の詳細な説明】
【技術分野】
【０００１】
本考案は収納の分野でゴミ袋を収納保管するためのワイヤー籠に関するものである。
【背景技術】
【０００２】
従来からゴミ袋を収納保管するワイヤー籠があった。
【考案の概要】
【考案が解決しようとする課題】
【０００３】
従来の物はゴミ袋を収納保管するときにフレームが固定のため使用するときも使用しないときも同じ大スペースが必要である。
【課題を解決するための手段】
【０００４】
従来の物はゴミ袋を収納保管するときにフレームが固定のため使用するときも使用しないときも同じ大スペースが必要である。
本考案は従来固定であったフレームを折りたたみ型とし使用するときは工具不要のワンタッチで組立て、使用しない時は折りたたみ、小スペースにすることを可能にした。
本考案はこれ等の問題点を解決する為に考案された物である。
【考案の効果】
【０００５】
従来の物はゴミ袋を収納保管するときにフレームが固定のため使用するときも使用しないときも同じ大スペースが必要であったが、フレームを折りたたみ型とし使用するときは工具不要のワンタッチで組立て、使用しない時は折りたたみ小スペースにすることを可能にした。
【考案を実施するための形態】
【０００６】
【図面の簡単な説明】
【０００７】
【図１】正面図
【図２】左側面図
【図３】右側面図
【図４−１】部品図
【図４−２】部品図
【図４−３】部品図
【図５】展開図
【図６−１】説明図
【図６−２】説明図
【図７】従来の物の図および今回考案の物の図
【図１】
0003182274.tif 000003
【図２】
0003182274.tif 000004
【図３】
0003182274.tif 000005
【図４−１】
0003182274.tif 000006
【図４−２】
0003182274.tif 000007
【図４−３】
0003182274.tif 000008
【図５】
0003182274.tif 000009
【図６−１】
0003182274.tif 000010
【図６−２】
0003182274.tif 000011
【図７】
0003182274.tif 000012
【手続補正書】
【提出日】平成24年12月26日(2012.12.26)
【手続補正１】
【補正対象書類名】実用新案登録請求の範囲
【補正対象項目名】全文
【補正方法】変更
【補正の内容】
【実用新案登録請求の範囲】
【請求項１】
6面のワイヤーフレームがあり底面フレーム（５）の4箇所にキャスター（７）を取り付け、前記底面フレーム（５）の正面にフレーム（１）を、背面にフレーム（４）およびフレーム（６）を左側面にフレーム（２）を右側面にフレーム（３）を各々のフレームの底面に取り付けたフックで接続し、各フレームを立ち上げ前記正面フレーム及び前記背面フレームの側面に取り付けられたワイヤーフックで固定する事により6面体の籠になり前記フレーム（６）は籠上部を開閉する蓋となる事を特徴とするゴミストッカーワイド。
(57)【要約】      （修正有）【課題】カード入れとマネークリップを一体化した薄い財布を提供する。【解決手段】開口部を有するカード入れ本体１と、革や合成繊維からなり、前記開口部から前記カード入れ本体１の底部にわたって縫い合わせた紙幣ホルダーと、からなることを特徴とするカード３は本体１開口部から挿し入れ、二つ折りにした紙幣４はループ２の隙間に横から挿しはさむ。【選択図】図３
0003182281.tif 000002
【実用新案登録請求の範囲】
【請求項１】
カード入れとマネークリップを一体化し、薄くした財布。
【考案の詳細な説明】
【技術分野】
【０００１】この考案は、財布として紙幣とカードを束ねる形状に関する。
【背景技術】
【０００２】従来の紙幣とカードを束ねるマネークリップは厚さがある金属製が主であった。
【考案の概要】
【考案が解決しようとする課題】
【０００４】しかしながら、以上の形状によれば、カードが傷つきやすい。
また、金属製クリップは使用経年により挟む力が衰える。
【課題を解決するための手段】
【０００５】以上の課題を解決する為に、第一考案は、革や合成繊維等でカード入れを、第二考案は、紙幣を挟む形状を革や合成繊維等で一体化した。
【考案の効果】
【０００６】第一考案と第二考案により、カードと紙幣を薄く長年衰えることなく束ねることができる。
【図面の簡単な説明】
【０００７】
【図１】この考案の一体化を示した正面図である。
【図２】この考案の薄さを示した上面図である。
【図３】この考案の一実施例を示した正面図である。
【考案を実施するための形態】
【０００８】この考案の一実施形態を図１と図２に示す。上端に開口部のある本体は革や合成繊維製であり、本体１の正面には、革や合成繊維製のループ２を縫い合わせ一体化している。
【実施例】
【０００９】この考案の一実施例を図３に示す。カード３を本体１開口部から入れ、紙幣４をループ２の隙間に横から挿しはさむ。
【符号の説明】
【００１０】１  カード入れ本体
２  ループ
３  カード
４  紙幣
【図１】
0003182281.tif 000003
【図２】
0003182281.tif 000004
【図３】
0003182281.tif 000005
【手続補正書】
【提出日】平成24年12月21日(2012.12.21)
【手続補正１】
【補正対象書類名】実用新案登録請求の範囲
【補正対象項目名】全文
【補正方法】変更
【補正の内容】
【実用新案登録請求の範囲】
【請求項１】
開口部を有するカード入れ本体と、革や合成繊維からなり、前記開口部から前記カード入れ本体の底部にわたって縫い合わせた紙幣ホルダーと、からなることを特徴とするカード入れ付き紙幣ホルダー。
(57)【要約】      （修正有）【課題】板状の四角形又は長方形とし、さらに折り畳み式にし、常時携帯可能とした携帯用救命浮き袋を提供する。【解決手段】空気注入具を備え、空気を内部に封入した状態では直方体形状であり、収納体に内包して用いることを特徴とする。収容体はランドセルやかばんであり、直方体形状により、水上での体を安定して維持できる。【選択図】図１
0003182286.tif 000002
【実用新案登録請求の範囲】
【請求項１】
収納体等に内包し携帯用とすることを特徴とする浮き袋
【請求項２】
ランドセル、かばん、バック等の収納体のおおむね内寸に合わせた寸法で塩化ビニール等の素材を用いた板状の四角形又は長方形の空気注入可能な袋に、浮輪等に使用されている注入具を取り付け、空気を注入することにより浮き袋と同様の浮力を有する浮遊体とし、ランドセル、かばん、バック等の収納体の内部に入れて封入し、津波、水難事故等の緊急時に救命フロートとして活用する浮き袋。
【請求項３】
板状の四角形又は長方形の浮き袋とすることにより、収納体内部への水の浸入を最小にし、収納体に内包することにより、瓦礫や障害物から製品自体の破損を最小限に抑えられるため、塩化ビニール等の素材も柔らかく薄い材質で製造でき、廉価でしかも折り畳みも容易にでき、収納体内に常時携帯可能であることを特徴とする請求項１に記載の浮き袋。
【考案の詳細な説明】
【技術分野】
【０００１】本考案は、板状の四角形又は長方形に特化した、救難、救命用浮き袋である。
折り畳み式にし、常時携帯可能とする。
【背景技術】
【０００２】本考案は、球状ではなく板状の四角形又は長方形にする事により、収納体への水の浸入を最小にし、収納体に内包することにより製品自体の破損を最小限に抑えられるため材質を薄くでき折り畳みも容易で携帯可能となる。
【先行技術文献】
【特許文献】
【０００３】
【非特許文献】
【０００４】
【考案の概要】
【考案が解決しようとする課題】
【０００５】津波、水難事故はいつ発生するか予測不能である。その際、水に浮く物が有れば最悪の事態を回避できる可能性がある。
【課題を解決するための手段】
【０００６】津波に対する最初にしなければならない行動は、いち早く高台に避難する事です。唯、津波到来までには多少の時間があります。その際に本製品に人の息、その他空気注入器具等を用い注入し、手持ちもしくは手近にある、収納可能なランドセル等の腕を通せて抱え込める物品に内包して装着し、万一、間に合わない場合に水中に沈んでしまう危険を最小限に抑える。
【考案の効果】
【０００７】上述の様に、津波の場合は、多少の時間的余裕があるので、空気を注入するのに短時間（おおよそ数十秒）で出来、ランドセル、かばん等に内包する事により、衝突物からの破損を避けられる可能性が高くなり、また、板状の四角形又は長方形にすることにより身体が回転するのを極力抑え、胸に抱え込む事により波乗り効果も期待され溺れる危険を最小限に抑える。
水難事故が起こりやすい海岸等においては、予め空気を注入してリュック等に内包して子供に背負わせたり、手近に置いておき、万一の際に投げる等して救助の一助にする。
【図面の簡単な説明】
【０００８】
【図１】本考案の携帯用救命浮き袋の側面図である
【図１】
0003182286.tif 000003
【手続補正書】
【提出日】平成24年12月27日(2012.12.27)
【手続補正１】
【補正対象書類名】実用新案登録請求の範囲
【補正対象項目名】全文
【補正方法】変更
【補正の内容】
【実用新案登録請求の範囲】
【請求項１】
空気注入具を備え、空気を内部に封入した状態では直方体形状であり、収納体に内包して用いることを特徴とする携帯用救命浮き袋。
(57)【要約】      （修正有）【課題】くず糸回収器本体に釣りをした際、切れたり、不要になったりしたくず糸を簡単で瞬時に収納出来る収納室を設け、環境保全や収納機能の向上に役立たせた釣り用くず糸回収器を提供する。【解決手段】くず糸回収器本体１の内部に釣り用くず糸収納室を設け、くず糸を片手で軽くくず糸挿入穴２に差し込みながら、もう１本の片手で回転軸棒ツマミ部３を回すことにより、くず糸収納室に軸架した回転軸棒６が回転し、回転軸棒６の外廓に貼付した粘着テープがくず糸を収納室に巻き込む。且つ、上部蓋４と下部蓋５を開閉することが可能であり、回転軸棒６から収納したくず糸を取り除けば、繰り返し使用することも可能である。環境保全や収納機能の向上に役立つ。【選択図】図２
0003182285.tif 000002
【実用新案登録請求の範囲】
【請求項１】
釣り用くず糸回収器本体の内部にくず糸収納室を設け、くず糸収納室に軸架した手動で回転自在の粘着力を有する粘着テープで貼付してある回転軸棒を設けるとともに、くず糸収納室と回転軸棒は上下方向に嵌め込み式となる上部蓋と下部蓋に包囲されており、又、くず糸収納室から回転軸棒を着脱することができ、回転軸棒から収納したくず糸を巻き取り外し、くず糸のみを廃棄すれば、繰り返しの使用が可能とする釣り用くず糸回収器。
【考案の詳細な説明】
【技術分野】
【０００１】    本考案は、上下方向に嵌め込み式の上部蓋、下部蓋を設け、上部蓋と下部蓋の内部には粘着力を有する粘着テープで貼布した手動で回転可能の回転軸棒が枢架されており、上部蓋、下部蓋と回転軸棒を組み立てすると、回転軸棒の外廓部の空間はくず糸収納室を形成している。その空間を利用し、くず糸を回収そして収納することが出来る釣り用くず糸回収器に関するものである。
【背景技術】
【０００２】    海、河川、池及び湖等の大自然において釣りをした場合、切れた釣り糸や不要になった釣り糸は、その場に廃棄していて、或は衣服やズボンのホケット、道具箱等に収納していた。
【先行技術文献】
【特許文献】
【０００３】    出願人が調べた範囲では先行技術文献は見当たらなかった。
【考案の概要】
【考案が解決しようとする課題】
【０００４】  釣り用のくず糸を大自然に廃棄したことで、環境と生態への破壊が大きく、魚だけではなく、その他の動物や鳥類がくず糸を誤って食べたり、くちばしや足に絡まったりする等の被害が後を絶たない。また、衣服やズボンのポケット、道具箱等に収納したことで、くず糸の出し忘れや他の道具に絡まって更なる支障をもたらすこともある。従って、くず糸回収器の収納空間と回転軸棒の回収機能を一体化することにより前述の欠点を解決しようとするものである。
【課題を解決するための手段】
【０００５】  本考案は、釣り用くず糸回収器本体の内部にくず糸収納室を設け、くず糸収納室に軸架した手動で回転自在の粘着力を有する粘着テープで貼付してある回転軸棒を設けるとともに、くず糸収納室と回転軸棒は上下方向に嵌め込み式となる上部蓋と下部蓋に包囲されている。又、くず糸収納室から回転軸棒を着脱することができ、回転軸棒から収納したくず糸を巻き取り外し、くず糸のみを廃棄すれば、繰り返しの使用が可能とする釣り用くず糸回収器。
以上の手段を利用することによりくず糸が簡単に巻かれ収納し問題点を解決している。
【考案の効果】
【０００６】  上述の様に、本考案の釣り用くず糸回収器はくず糸を収納することは勿論、収納したくず糸を取り除いたら何度でも繰り返し使用することが可能である。くず糸を簡単で瞬時に収納と掃除することが出来る。これにより環境保全と収納機能の向上として役立つ。
【考案の実施するための最良の形態】
【０００７】回収器を閉じたまま状態で本体の上部蓋の投入口にくず糸を軽く差し込みながら、本体から出ている軸棒のツマミ部分を指で回す。くず糸が完全に収納室の中に巻かれたら収納が完了。又、上部蓋と下部蓋を開き、軸棒の粘着テープ部分に絡まったくず糸を引っ張りながら取り除くと糸の掃除が完了。固く絡まった糸は回転軸棒に設けた溝に沿うようにハサミで切り取ったらより簡単にくず糸を掃除することが可能である。また、回転軸棒を下部蓋に載せ、上部蓋を戻し、閉じたら再び使用することが可能である。
【実施例】
【０００８】以下、添付図面に従って一実施例を説明する。上部蓋４と下部蓋５は上下方向に嵌め込み式となっており、上部蓋４と下部蓋５との内部には回転軸棒６が手動で回転可能に収納されている。この回転軸棒６の本体外廓部分には粘着力の有する粘着テープが貼付されており、回転軸棒６には指で回せるように回転軸棒ツマミ部３が設けてある。上部蓋４と下部蓋５の内部と回転軸棒６の外廓部の空間はくず糸収納室２ａを形成している。上部蓋４にはくず糸挿入穴２を複数設けてある。以上がくず糸回収器本体１の構成である。
次に、くず糸を収納する時の操作について説明する。まず、くず糸７をくず糸挿入穴２より挿入して回転軸棒６の外廓に軽く付着させて後、回転軸棒ツマミ部３を手動で矢印方向に回転軸棒６を回転させる。そうすると、くず糸７の全体分を回転軸棒６に巻き付けて収納が終了する。収納が完了すると上部蓋４と下部蓋５を開き、回転軸棒６を取出してくず糸７を巻き取外してくず糸７のみを廃棄する。尚、くず糸挿入穴２を複数設けた理由はくず糸が多量にある場合や、くず糸を回転軸棒に平均的巻き付ける目的で設けたものである。
【図面の簡単な説明】
【０００９】
【図１】本考案の釣り用くず糸回収器の一実施例を示す正面図。
【図２】本器具の分解図。
【図３】一実施例を示す図１のＡ−Ａ断面図。
【符号の説明】
【００１０】１    くず糸回収器本体
２    くず糸挿入穴
２ａ  くず糸収納室
３    回転軸棒ツマミ部
４    上部蓋
５    下部蓋
６    回転軸棒
７    くず糸
【図１】
0003182285.tif 000003
【図２】
0003182285.tif 000004
【図３】
0003182285.tif 000005
(57)【要約】      （修正有）【課題】ロッドブランクを直接手のひらで握れる構造としたリールシートを提供する。【解決手段】ロッドブランク１がリールシート２の上方において、リールシート２の後部の接続ヘッド４に貫通挿入して装着され、接続ヘッド４内にある接続部品を介して固定される。これにより、手のひら側にロッドブランク、指先側にリールシートの配置となり、ロッドブランクに伝わってくる魚のアタリの振動を手のひらで感じることが可能となる。【選択図】図１
0003182289.tif 000002
【実用新案登録請求の範囲】
【請求項１】
ロッドブランクを後部に装着し、露出したロッドブランクを直接、手のひらで握れるようにしたリールシートである。
【考案の詳細な説明】
0003182289.tif 000003
【発明の詳細な説明】
【技術分野】
【０００１】この発明は、ロッドブランクを直接握ることにより魚のかすかな当たりをみのがすことなく釣り上げるリールシートである。
【背景技術】
【０００２】従来のロッドはリールを装着する為のリールシートが、ロッドブランクに被さる形で成形されていた。
その為、魚のアタリがあった場合、ロッドブランクに伝わってくる振動などは、リールシートに干渉されてしまい、釣り人の手に伝わり難かった。
ロッドブランクが一部露出したリールシートもあったが、手に触れる部分が少なく又、握っている部分より前にリールシートの一部がある為、振動が遮断され、あまり効果がなかった。
【発明が解決しようとする課題】
【０００３】ロッドブランクに被さっているリールシートが邪魔をして、魚のアタリを直接手のひらにまで伝えられなかった。
【課題を解決する為の手段】
【０００４】リールシートの後部１点でロッドブランクを支える構造に変えた。
【考案を実施するための形態】
【０００５】ロッドブランクをリールシートの後部に装着し、露出したロッドブランクを直接手のひらで握る。
【実施例】
【０００６】本発明の実施例について説明する。
（イ）ロッドブランク（１）をリールシート（２）の後部に差し込む。
（ロ）接続ヘッド（４）を回し、接続部品（５）でロッドブランク（１）を固定する。
【発明の効果】
【０００７】本発明品は、ロッドブランクがリールシートの後部に装着される為、露出したロッドブランクを直接握ることができる。
その為、魚のアタリである振動を直に手のひらに感じることが可能になった。
また、握った手のひら部より前に部品が無いので、微妙な魚のアタリも遮断されることなく、ダイレクトに伝わるようになった。
【図面の簡単な説明】
【図１】本発明の正面図である
【図２】接続部分の断面図である
【図３】本発明の実施例（スピニングリール）を示す図である。
【図４】本発明の実施例（ベイトリール）を示す図である
【符号の説明】１  ロッドブランク
２  リールシート
３  リール
４  接続ヘッド
５  接続部品
【図１】
0003182289.tif 000004
【図２】
0003182289.tif 000005
【図３】
0003182289.tif 000006
【図４】
0003182289.tif 000007
【手続補正書】
【提出日】平成25年1月18日(2013.1.18)
【手続補正１】
【補正対象書類名】明細書
【補正対象項目名】全文
【補正方法】変更
【補正の内容】
【考案の詳細な説明】
【技術分野】
【０００１】    この考案は、ロッドブランクを直接握ることにより魚のかすかな当たりをみのがすことなく釣り上げるリールシートである。
【背景技術】
【０００２】  従来のロッドはリールを装着する為のリールシートが、ロッドブランクに被さる形で成形されていた。
その為、魚のアタリがあった場合、ロッドブランクに伝わってくる振動などは、リールシートに干渉されてしまい、釣り人の手に伝わり難かった。
ロッドブランクが一部露出したリールシートもあったが、手に触れる部分が少なく又、握っている部分より前にリールシートの一部がある為、振動が遮断され、あまり効果がなかった。
【考案が解決しようとする課題】
【０００３】ロッドブランクに被さっているリールシートが邪魔をして、魚のアタリを直接手のひらにまで伝えられなかった。
【課題を解決する為の手段】
【０００４】リールシートの後部１点でロッドブランクを支える構造に変えた。
【考案を実施する為の形態】
【０００５】ロッドブランクをリールシートの後部に装着し、露出したロッドブランクを直接手のひらで握る。
【実施例】
【０００６】本考案の実施例について説明する。
（イ）ロッドブランク（１）をリールシート（２）の後部に差し込む。
（ロ）接続ヘッド（４）を回し、接続部品（５）でロッドブランク（１）を固定する。
【考案の効果】
【０００７】本考案品は、ロッドブランクがリールシートの後部に装着される為、露出したロッドブランクを直接握ることができる。
その為、魚のアタリである振動を直に手のひらに感じることが可能になった。
また、握った手のひら部より前に部品が無いので、微妙な魚のアタリも遮断されることなく、ダイレクトに伝わるようになった。
【図面の簡単な説明】
【０００８】
【図１】本考案の正面図である
【図２】接続部分の断面図である
【図３】本考案の実施例（スピニングリール）を示す図である。
【図４】本考案の実施例（ベイトリール）を示す図である
【符号の説明】
【０００９】１  ロッドブランク
２  リールシート
３  リール
４  接続ヘッド
５  接続部品